(57)【特許請求の範囲】
【請求項１】
特定のフレーム構造を有するキャリアと当該特定のフレーム構造と異なるフレーム構造を有するキャリアを用いたキャリアアグリゲーションにより他の通信装置と通信を行う機能を備えるユーザ装置であって、
前記通信装置に上り信号を送信する信号送信部と、
前記通信装置から下り信号を受信する信号受信部と、
前記信号送信部から送信される前記通信装置への上り信号の送信タイミングを、前記信号受信部により受信する前記通信装置からの下り信号の受信タイミングを基準として前にずらすタイミング制御を行うタイミング調整部と、を備え、
前記タイミング調整部は、前記キャリアアグリゲーションに使用されるセルのうち、同一の上り送信タイミングを用いるセカンダリセルからなるセルグループ内に、物理上り制御チャネルが設定されるセカンダリセルがある場合に、当該セカンダリセルのフレーム構造に応じたオフセット値を使用して前記セルグループについての前記タイミング制御を行う
ことを特徴とするユーザ装置。
【請求項２】
前記物理上り制御チャネルが設定されるセカンダリセルは、デュアルコネクティビティにおけるＰＳＣｅｌｌである
ことを特徴とする請求項１に記載のユーザ装置。
【請求項３】
前記タイミング調整部は、前記セルグループ内に、物理上り制御チャネルが設定されるセカンダリセルがない場合に、前記セルグループにおいて、前記特定のフレーム構造を有するキャリアを使用するセカンダリセルが所定の条件を満たすか否かを判定し、当該所定の条件を満たす場合に、前記セルグループについての前記タイミング制御に所定のオフセット値を使用する
ことを特徴とする請求項１又は２に記載のユーザ装置。
【請求項４】
前記所定の条件は、前記特定のフレーム構造を有するキャリアを使用するセカンダリセルが、アクティベート状態にあることである
ことを特徴とする請求項３に記載のユーザ装置。
【請求項５】
前記所定の条件は、前記特定のフレーム構造を有するキャリアを使用するセカンダリセルにおいて、上り通信が設定されていることである
ことを特徴とする請求項３又は４に記載のユーザ装置。
【請求項６】
前記タイミング制御に前記所定のオフセット値が使用される場合に、前記信号送信部は、当該所定のオフセット値が使用されることを前記通信装置に通知する
ことを特徴とする請求項３ないし５のうちいずれか１項に記載のユーザ装置。
【請求項７】
前記タイミング制御に前記所定のオフセット値が使用されなくなった場合に、前記信号送信部は、当該所定のオフセット値が使用されなくなったことを前記通信装置に通知する
ことを特徴とする請求項６に記載のユーザ装置。
【請求項８】
前記タイミング調整部は、前記特定のフレーム構造を有するキャリアを使用するセカンダリセルが前記所定の条件を満たす場合に、前記セルグループにおける前記信号送信部からの上り信号送信を停止する機能、又は、前記特定のフレーム構造を有するキャリアを使用するセカンダリセルが前記所定の条件を満たさない場合に、前記セルグループにおける前記信号送信部からの上り信号送信を停止する機能を有する
ことを特徴とする請求項３ないし７のうちいずれか１項に記載のユーザ装置。
【請求項９】
前記通信装置は、デュアルコネクティビティに対応した基地局、又は、前記ユーザ装置との間でＤ２Ｄ通信を行う他のユーザ装置である
ことを特徴とする請求項１ないし８のうちいずれか１項に記載のユーザ装置。
【請求項１０】
特定のフレーム構造を有するキャリアと当該特定のフレーム構造と異なるフレーム構造を有するキャリアを用いたキャリアアグリゲーションにより他の通信装置と通信を行う機能を備えるユーザ装置が実行する上り送信タイミング制御方法であって、
前記通信装置への上り信号の送信タイミングを、前記通信装置からの下り信号の受信タイミングを基準として前にずらすタイミング制御を行うタイミング調整ステップを備え、
前記タイミング調整ステップにおいて、前記ユーザ装置は、前記キャリアアグリゲーションに使用されるセルのうち、同一の上り送信タイミングを用いるセカンダリセルからなるセルグループ内に、物理上り制御チャネルが設定されるセカンダリセルがある場合に、当該セカンダリセルのフレーム構造に応じたオフセット値を使用して前記セルグループについての前記タイミング制御を行う
ことを特徴とする上り送信タイミング制御方法。
【発明の詳細な説明】
【技術分野】
【０００１】
本発明は、移動通信システムに関連するものであり、特に、キャリアアグリゲーションにおける上り送信タイミング制御に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている（例えば非特許文献１参照）。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。
【０００４】
ＳＣｅｌｌは、ＰＣｅｌｌに追加されてユーザ装置ＵＥに対して設定されるセルである。ＳＣｅｌｌの追加、設定変更、削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。ＳＣｅｌｌは基地局ｅＮＢからのＭＡＣ信号により、アクティブ化（ａｃｔｉｖａｔｉｏｎ）／非アクティブ化（ｄｅａｃｔｉｖａｔｉｏｎ）が制御される。
【０００５】
Ｒｅｌ−１１までのＣＡでは、同一基地局ｅＮＢ配下の複数のＣＣを用いて同時通信を行うこととしているが、Ｒｅｌ−１２ではこれをさらに拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献２）。つまり、Ｄｕａｌ  ｃｏｎｎｅｃｔｉｖｉｔｙでは、ユーザ装置ＵＥは、２つの物理的に異なる基地局ｅＮＢの無線リソースを同時に使用して通信を行う。
【０００６】
Ｄｕａｌ  ｃｏｎｎｅｃｔｉｖｉｔｙ（以下ではＤＣと記述する）は、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。
【０００７】
ＤＣにおいて、ＭｅＮＢ配下のセル（１つ又は複数）をＭＣＧ（Ｍａｓｔｅｒ  Ｃｅｌｌ  Ｇｒｏｕｐ、マスターセルグループ）、ＳｅＮＢ配下のセル（１つ又は複数）をＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。また、これを特別セル（ｓｐｅｃｉａｌ  ｃｅｌｌ）と呼んでもよい。
【０００８】
ところで、上り送信にＳＣ−ＦＤＭＡを採用しているＬＴＥシステムでは、基地局ｅＮＢで受信される、セル内で異なるユーザ装置ＵＥからの上り信号に対して一括でＦＦＴを施して信号の復調を行う。しかし、各ユーザ装置ＵＥの信号伝搬遅延（無線特性）は異なるため、セル内の各ユーザ装置ＵＥが基地局ｅＮＢからの下り信号の受信タイミングに合わせて上り信号を送信すると、基地局ｅＮＢでは、各ユーザ装置ＵＥの上り信号が異なるタイミングで受信され、基地局ｅＮＢは所望のタイミングでＦＦＴを施すことができない。そのため、基地局ｅＮＢは各ユーザ装置ＵＥの上り信号の送信タイミングを調整し、基地局ｅＮＢにおける受信タイミングのずれが所定の時間内に収まるように制御を行っている。これをＴＡ（Ｔｉｍｅ  ａｌｉｇｎｍｅｎｔ）制御と呼ぶ。具体的には、基地局ｅＮＢは各ユーザ装置ＵＥに対して所望上り信号受信タイミングに対する、実際の上り信号の受信タイミングとの差分を計測し、その差分だけ上り信号タイミングを前にずらすように指示を行っている。なお、基地局ｅＮＢからの上り送信タイミング調整指示はランダムアクセス手順やＭＡＣ制御信号により通知することが可能である。
【０００９】
ＣＡの１つの形態として、図１に例示するように、異なる周波数のマクロセル−スモールセル間でＣＡを運用する形態がある。図１に示すシステムでは、基地局ｅＮＢが、マクロセルとしてのＰＣｅｌｌとＳＣｅｌｌ１を形成し、更に、基地局ｅＮＢから延びるＲＲＥ（遠隔無線装置：Ｒｅｍｏｔｅ  Ｒａｄｉｏ  Ｅｑｕｉｐｍｅｎｔ）により、スモールセルであるＳＣｅｌｌ２及びＳＣｅｌｌ３を形成することで、ユーザ装置ＵＥがＣＡを実施している。
【００１０】
このような構成においては、ユーザ装置ＵＥがアグリゲートしているＣＣ間で伝搬遅延等の無線特性が異なり、ＵＥ単位の上り送信タイミング制御では、基地局ｅＮＢにおける受信タイミングのずれが発生し、セル内干渉となることから、アグリゲートしているＣＣ毎に上り送信タイミング制御が必要となる。
【００１１】
具体的には、Ｒｅｌ−１１では、ユーザ装置ＵＥに設定されているＣＣ（セル）を無線特性のほぼ同等となるものどうしでグルーピングし、各ＣＣ（セル）群（ＴＡＧ：Ｔｉｍｉｎｇ  Ａｄｖａｎｃｅ  Ｇｒｏｕｐ）毎に上り送信タイミング調整制御を行うこととしている。すなわち、ＴＡＧは、同一の上り送信タイミングを用いるセルのグループである。なお、「同一の上り送信タイミング」は、厳密に同一である必要はなく、セル間での上り送信タイミング差が所定の範囲にあれば「同一の上り送信タイミング」と見なしてよい。ＴＡＧは、ＣＡにおけるＰＣｅｌｌが含まれるｐＴＡＧ（ｐｒｉｍａｒｙ  ＴＡＧ）と、ＰＣｅｌｌを含まずＳＣｅｌｌのみで構成されるｓＴＡＧ（ｓｅｃｏｎｄｒｙ  ＴＡＧ）に大別される。図１の構成では、ユーザ装置ＵＥに対して、例えば図２に示すように、ＰＣｅｌｌとＳＣｅｌｌ１からなるｐＴＡＧと、ＳＣｅｌｌ２とＳＣｅｌｌ３からなるｓＴＡＧが設定される。
【００１２】
また、ＴＡＧにおいて、ＤＬのタイミングや装置内のクロックを調整する際に参照するＤＬのセルとしてｔｉｍｉｎｇ  ｒｅｆｅｒｅｎｃｅ  ｃｅｌｌが規定されている（例えば非特許文献１）。図３に示すように、ｐＴＡＧにおける各セルはｔｉｍｉｎｇ  ｒｅｆｅｒｅｎｃｅ  ｃｅｌｌとしてＰＣｅｌｌを参照し、ｓＴＡＧにおける各ＳＣｅｌｌについては、ユーザ装置ＵＥが自律でｔｉｍｉｎｇ  ｒｅｆｅｒｅｎｃｅ  ｃｅｌｌを選択することが規定されている。
【先行技術文献】
【非特許文献】
【００１３】
【非特許文献１】３ＧＰＰ  ＴＳ  ３６．３００  Ｖ１２．１．０  （２０１４−０３）
【非特許文献２】３ＧＰＰ  ＴＲ  ３６．８４２  Ｖ１２．０．０  （２０１３−１２）
【非特許文献３】３ＧＰＰ  ＴＳ  ３６．２１３  Ｖ１２．２．０  （２０１４−０６）
【非特許文献４】３ＧＰＰ  ＴＳ  ３６．２１１  Ｖ１２．２．０  （２０１４−０６）
【発明の概要】
【発明が解決しようとする課題】
【００１４】
ＬＴＥでは、周波数分割複信（Ｆｒｅｑｕｅｎｃｙ  Ｄｉｖｉｓｉｏｎ  Ｄｕｐｌｅｘ：ＦＤＤ）方式と時分割複信（Ｔｉｍｅ  Ｄｉｖｉｓｉｏｎ  Ｄｕｐｌｅｘ：ＴＤＤ）方式との２つの複信方式（ｄｕｐｌｅｘ  ｍｏｄｅ）が規定されている。ＦＤＤ方式では、アップリンク通信とダウンリンク通信とが互いに異なる周波数帯で実行され、ＴＤＤ方式では、アップリンク通信とダウンリンク通信とが同一の周波数帯を利用し、アップリンク通信とダウンリンク通信とが時間で分離される。
【００１５】
ＣＡ及びｄｕｐｌｅｘ  ｍｏｄｅに関し、ＬＴＥのＲｅｌ．１０−１１ではＣＡを構成する複数ＣＣは同一ｄｕｐｌｅｘ  ｍｏｄｅに限られていたが、Ｒｅｌ−１２においてはＣＡを拡張し、異なるｄｕｐｌｅｘ  ｍｏｄｅのＣＣを用いてＣＡを行うことが可能になっている。以降、異なるｄｕｐｌｅｘ  ｍｏｄｅのＣＣを用いたＣＡをＴＤＤ−ＦＤＤ  ＣＡと記述する。
【００１６】
従来のＴＤＤ−ＦＤＤ  ＣＡにおいて、ｓＴＡＧ内に他と異なるｆｒａｍｅ  ｓｔｒｕｃｔｕｒｅ（ｄｕｐｌｅｘ  ｍｏｄｅ）を持つＳＣｅｌｌが含まれる場合、常にＮＴＡｏｆｆｓｅｔ＝６２４ＴｓだけＵＬ送信タイミングを前に出すことが規定されている（非特許文献３）。なお、非特許文献４に記載されているとおり、ｆｒａｍｅ  ｓｔｒｕｃｔｕｒｅ  ｔｙｐｅ  １（フレーム構造タイプ１）を有するキャリアがＦＤＤのキャリアに相当し、ｆｒａｍｅ  ｓｔｒｕｃｔｕｒｅ  ｔｙｐｅ  ２（フレーム構造タイプ２）を有するキャリアがＴＤＤのキャリアに相当する。図４（ａ）は、ｓＴＡＧ内に異なるｆｒａｍｅ  ｓｔｒｕｃｔｕｒｅ（ｄｕｐｌｅｘ  ｍｏｄｅ）を持つＳＣｅｌｌが含まれず、例えば、ＦＤＤのＳＣｅｌｌのみの場合のＴＡを示す図である。図４（ａ）に示すように、当該ｓＴＡＧにおいて、ＤＬ信号受信タイミングよりもＴＡだけ早い時間をＵＬの信号送信タイミングとする。図４（ｂ）は、ｓＴＡＧ内に異なるｆｒａｍｅ  ｓｔｒｕｃｔｕｒｅ（ｄｕｐｌｅｘ  ｍｏｄｅ）を持つＳＣｅｌｌが含まれる場合である。この場合、当該ｓＴＡＧにおいて、ＤＬ受信タイミングよりもＴＡ＋６２４Ｔｓだけ早い時間をＵＬの信号送信タイミングとする。なお、ＮＴＡｏｆｆｓｅｔを適用したＵＬ送信タイミングについては非特許文献４の８．１  Ｕｐｌｉｎｋ−ｄｏｗｎｌｉｎｋ  ｆｒａｍｅ  ｔｉｍｉｎｇに記載されている。
【００１７】
上記のような制御を行うのは、ｄｕｐｌｅｘ  ｍｏｄｅによって、適用すべきＮＴＡｏｆｆｓｅｔが異なり（ＦＤＤの場合には０、ＴＤＤの場合には６２４Ｔｓ）、同一ｓＴＡＧ内では、どちらかにそろえる必要があるためである。なお、Ｔｓは所定の時間である。また、ＴＤＤの場合に６２４Ｔｓを加えるのは、基地局ｅＮＢにおいて、ＵＬ受信とＤＬ送信を切り替えるための時間を考慮したためである。
【００１８】
しかし、上記従来技術においては、ｓＴＡＧ内のＳＣｅｌｌのアクティベーション（ａｃｔｉｖａｔｉｏｎ）／非アクティベーション（ｄｅａｃｔｉｖａｔｉｏｎ）や、ＵＬ  ＣＣ設定有無を考慮していない。そのため、例えば、ユーザ装置ＵＥはｓＴＡＧ内のＴＤＤ  ＳＣｅｌｌが全て非アクティベート化された場合、或いはＵＬ  ＣＣを削除した場合に、当該ＴＡの前出しを自律的にやめてしまうことが想定される。このような制御は、ユーザ装置ＵＥの実装に依存するので、別のユーザ装置ＵＥにおいてはこのような制御が行われないことも考えられる。基地局ｅＮＢはこのような制御が行われることを予期できないため、当該制御が行われる場合、ＵＬ送信タイミングがずれ、ＵＬ干渉が生じることが考えられる。つまり、従来技術では、ユーザ装置ＵＥの上り信号の送信タイミング制御において、オフセット値を適切に適用することができないことから、ＵＬ干渉が生じる可能性があるという問題があった。
【００１９】
また、前述したＤＣはＣＡの一種であり、ＰＣｅｌｌ、ＳＣｅｌｌが設定され、ｐＴＡＧ、ｓＴＡＧが設定される。従って、ユーザ装置ＵＥは、上記の規定に従って、ｓＴＡＧ内に他と異なるｆｒａｍｅ  ｓｔｒｕｃｔｕｒｅ（ｄｕｐｌｅｘ  ｍｏｄｅ）を持つＳＣｅｌｌが含まれる場合、常にＮＴＡｏｆｆｓｅｔ＝６２４ＴｓだけＵＬ送信タイミングを前に出す制御を行うことが考えられるが、前述したように、ｓＴＡＧ内のＳＣｅｌｌのアクティベーション（ａｃｔｉｖａｔｉｏｎ）／非アクティベーション（ｄｅａｃｔｉｖａｔｉｏｎ）や、ＵＬ  ＣＣ設定有無を考慮していないため、上記と同じ問題がある。
【００２０】
上記の問題を解消するために、例えば、ＮＴＡｏｆｆｓｅｔ＝６２４Ｔｓ適用のためのアクティベーション状態やＵＬ  ＣＣ設定等の条件を定めることが考えられる。しかし、ＤＣにおいては、ｓＴＡＧ内のＰＳＣｅｌｌをＤＬ  ｔｉｍｉｎｇ  ｒｅｆｅｒｅｎｃｅ  ｃｅｌｌとして設定することが合意されているため、それを前提とすると、ユーザ装置ＵＥはＰＳＣｅｌｌのｄｕｐｌｅｘ  ｍｏｄｅに従ったＮＴＡｏｆｆｓｅｔを適用することも考えられる。つまり、この場合、ユーザ装置ＵＥは、ＰＳＣｅｌｌを含むｓＴＡＧにおいて、ＰＳＣｅｌｌがＴＤＤであればＴＡ制御においてＮＴＡｏｆｆｓｅｔ＝６２４Ｔｓを適用し、ＰＳＣｅｌｌがＦＤＤであればＮＴＡｏｆｆｓｅｔ＝０を適用する。
【００２１】
ＴＤＤ−ＦＤＤ  ＣＡは常にＤＣとセットでのみ運用するようなＮＷにおいては、ＰＳＣｅｌｌのｄｕｐｌｅｘ  ｍｏｄｅに基づいてＮＴＡｏｆｆｓｅｔ値を決めればよかったにもかかわらず、ＰＳＣｅｌｌを含むｓＴＡＧに対して異なるｆｒａｍｅ  ｓｔｒｕｃｔｕｒｅを持つＳＣｅｌｌが設定されているか否かをわざわざ判定して、ＮＴＡｏｆｆｓｅｔ値を決定することになると、装置実装の複雑性が増加してしまう。つまり、ＤＣでも、ユーザ装置ＵＥの上り信号の送信タイミング制御において、オフセット値を適切に適用することができないという問題がある。
【００２２】
本発明は上記の点に鑑みてなされたものであり、特定のフレーム構造を有するキャリアと当該特定のフレーム構造と異なるフレーム構造を有するキャリアを用いたキャリアアグリゲーションにより他の通信装置と通信を行う機能を備えるユーザ装置の上り信号の送信タイミング制御において、オフセット値を適切に適用することを可能とする技術を提供することを目的とする。
【課題を解決するための手段】
【００２３】
本発明の実施の形態によれば、特定のフレーム構造を有するキャリアと当該特定のフレーム構造と異なるフレーム構造を有するキャリアを用いたキャリアアグリゲーションにより他の通信装置と通信を行う機能を備えるユーザ装置であって、
前記通信装置に上り信号を送信する信号送信部と、
前記通信装置から下り信号を受信する信号受信部と、
前記信号送信部から送信される前記通信装置への上り信号の送信タイミングを、前記信号受信部により受信する前記通信装置からの下り信号の受信タイミングを基準として前にずらすタイミング制御を行うタイミング調整部と、を備え、
前記タイミング調整部は、前記キャリアアグリゲーションに使用されるセルのうち、同一の上り送信タイミングを用いるセカンダリセルからなるセルグループ内に、物理上り制御チャネルが設定されるセカンダリセルがある場合に、当該セカンダリセルのフレーム構造に応じたオフセット値を使用して前記セルグループについての前記タイミング制御を行うユーザ装置が提供される。
【００２４】
また、本発明の実施の形態によれば、特定のフレーム構造を有するキャリアと当該特定のフレーム構造と異なるフレーム構造を有するキャリアを用いたキャリアアグリゲーションにより他の通信装置と通信を行う機能を備えるユーザ装置が実行する上り送信タイミング制御方法であって、
前記通信装置への上り信号の送信タイミングを、前記通信装置からの下り信号の受信タイミングを基準として前にずらすタイミング制御を行うタイミング調整ステップを備え、
前記タイミング調整ステップにおいて、前記ユーザ装置は、前記キャリアアグリゲーションに使用されるセルのうち、同一の上り送信タイミングを用いるセカンダリセルからなるセルグループ内に、物理上り制御チャネルが設定されるセカンダリセルがある場合に、当該セカンダリセルのフレーム構造に応じたオフセット値を使用して前記セルグループについての前記タイミング制御を行う上り送信タイミング制御方法が提供される。
【発明の効果】
【００２５】
本発明の実施の形態によれば、特定のフレーム構造を有するキャリアと当該特定のフレーム構造と異なるフレーム構造を有するキャリアを用いたキャリアアグリゲーションにより他の通信装置と通信を行う機能を備えるユーザ装置の上り信号の送信タイミング制御において、オフセット値を適切に適用することが可能となる。
【図面の簡単な説明】
【００２６】
【図１】ＭＴＡを説明するための図である。
【図２】ＴＡＧを説明するための図である。
【図３】ｔｉｍｉｎｇ  ｒｅｆｅｒｅｎｃｅ  ｃｅｌｌを説明するための図である。
【図４】課題を説明するための図である。
【図５】本発明の実施の形態における通信システムの構成図である。
【図６】ＮＴＡｏｆｆｓｅｔの適用例を説明するための図である。
【図７】ＮＴＡｏｆｆｓｅｔ＝６２４Ｔｓを適用する条件例２を説明するための図である。
【図８】ＮＴＡｏｆｆｓｅｔ＝６２４Ｔｓを適用する条件例３を説明するための図である。
【図９】ＮＴＡｏｆｆｓｅｔ＝６２４Ｔｓを適用する条件例４を説明するための図である。
【図１０】ＮＴＡｏｆｆｓｅｔ＝６２４Ｔｓを適用していることを通知する例を示す図である。
【図１１】変形例１における通信システムの構成図である。
【図１２】変形例１におけるＮＴＡｏｆｆｓｅｔの適用例を説明するための図である。
【図１３】変形例２における通信システムの構成図である。
【図１４】本発明の実施の形態に係るユーザ装置ＵＥの構成図である。
【図１５】ユーザ装置ＵＥの動作例を示す図である。
【図１６】ユーザ装置ＵＥの動作例を示す図である。
【図１７】ユーザ装置ＵＥの動作例を示す図である。
【発明を実施するための形態】
【００２７】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２８】
（実施の形態の概要、システムの全体構成）
本実施の形態では、ＤＣでのＴＤＤ−ＦＤＤ  ＣＡを行う際に、ユーザ装置ＵＥが、ＰＳＣｅｌｌが含まれるｓＴＡＧについて、ＰＳＣｅｌｌのｄｕｐｌｅｘ  ｍｏｄｅに応じたＮＴＡｏｆｆｓｅｔを適用する。ＰＳＣｅｌｌが含まれないｓＴＡＧについては、後述する制御を行う。なお、ＤＣでのＴＤＤ−ＦＤＤ  ＣＡは、時分割複信方式のキャリアと周波数分割複信方式のキャリアを用いたキャリアアグリゲーションの例である。
【００２９】
図５に、本発明の実施の形態に係る通信システムの構成例を示す。図５に示すように、本実施の形態に係る通信システムは、それぞれコアネットワーク１０に接続される基地局ＭｅＮＢと基地局ＳｅＮＢを備え、ユーザ装置ＵＥとの間でＤｕａｌ  ｃｏｎｎｅｃｔｉｖｉｔｙ（ＤＣ）を可能としている。また、基地局ＭｅＮＢと基地局ＳｅＮＢとの間は、例えばＸ２インターフェースにより通信可能である。
【００３０】
図５に示す通信システムにおいて、例えば、ＭＣＧをマクロセルとし、ＳＣＧをスモールセルとして、図１に示した形態と同様にして、ＰＣｅｌｌ、ＳＣｅｌｌ（ＰＳＣｅｌｌを含む）の設定を行うことができる。ユーザ装置ＵＥにおけるＳＣｅｌｌ（ＰＳＣｅｌｌを含む）の追加、削除、設定変更は、基地局ＭｅＮＢからのＲＲＣシグナリングで行うこととするが、これに限られるわけではない。また、ユーザ装置ＵＥにおけるＭＴＡの設定（つまり、ｓＴＡＧ及びｐＴＡＧの設定）についても基地局ＭｅＮＢからのＲＲＣシグナリングで行うこととするが、これに限られるわけではない。
【００３１】
また、ＳＣｅｌｌのアクティベーション／非アアクティベーションは、ＳＣＧについては基地局ＳｅＮＢが行い、ＭＣＧについては基地局ＭｅＮＢが行うこととしてもよいし、全てのＳＣｅｌｌについて基地局ＭｅＮＢが行うこととしてもよい。
【００３２】
ユーザ装置ＵＥは、ＭｅＮＢ又はＳｅＮＢから受信するＭＡＣ信号によりＴＡＧに対するＴＡを把握し、当該ＴＡ及びＮＴＡｏｆｆｓｅｔを用いて、ＴＡＧ毎のＵＬ送信タイミングの調整を行う。本実施の形態では、特にＮＴＡｏｆｆｓｅｔの決定に係る制御に着目している。
【００３３】
（ｓＴＡＧにＰＳＣｅｌｌが含まれる場合の例）
ｓＴＡＧにＰＳＣｅｌｌが含まれる場合のＮＴＡｏｆｆｓｅｔの適用例を図６を参照して説明する。ｓＴＡＧにＰＳＣｅｌｌが含まれる場合の当該ｓＴＡＧの構成としては、ｓＴＡＧが、ＰＳＣｅｌｌ以外に、ＳＣＧ（ＳｅＮＢ）のＳＣｅｌｌのみからなる場合、ｓＴＡＧが、ＰＳＣｅｌｌ以外に、ＭＣＧ（ＭｅＮＢ）のＳＣｅｌｌのみからなる場合、ｓＴＡＧが、ＰＳＣｅｌｌ以外に、ＳＣＧ（ＳｅＮＢ）のＳＣｅｌｌとＭＣＧ（ＭｅＮＢ）のＳＣｅｌｌからなる場合等がある。
【００３４】
図６（ａ）は、ユーザ装置ＵＥにおいて、ＰＳＣｅｌｌ（ＦＤＤ）、ＳＣｅｌｌ１（ＴＤＤ）、ＳＣｅｌｌ２（ＦＤＤ）がｓＴＡＧとして設定されていることを示している。この場合、ＰＳＣｅｌｌがＦＤＤであるから、当該ｓＴＡＧにおいては、ＦＤＤのＮＴＡｏｆｆｓｅｔを適用する。つまり、ＮＴＡｏｆｆｓｅｔ＝０が適用される。
【００３５】
図６（ｂ）は、ユーザ装置ＵＥにおいて、ＰＳＣｅｌｌ（ＴＤＤ）、ＳＣｅｌｌ１（ＴＤＤ）、ＳＣｅｌｌ２（ＦＤＤ）がｓＴＡＧとして設定されていることを示す。この場合、ＰＳＣｅｌｌがＴＤＤであるから、当該ｓＴＡＧにおいては、ＴＤＤのＮＴＡｏｆｆｓｅｔを適用する。つまり、ＮＴＡｏｆｆｓｅｔ＝６２４Ｔｓが適用される。
【００３６】
（ｓＴＡＧにＰＳＣｅｌｌが含まれない場合の例）
上記の例は、ｓＴＡＧにＰＳＣｅｌｌが含まれる場合の例であったが、ＤＣにおいてｓＴＡＧにＰＳＣｅｌｌが含まれない場合もある。例えば、ＭＣＧ内のＳＣｅｌｌでｓＴＡＧが構成される場合、ＳＣＧ内のＰＳＣｅｌｌ以外のＳＣｅｌｌでｓＴＡＧが構成される場合、ＭＣＧのＳＣｅｌｌとＳＣＧのＳＣｅｌｌ（ＰＳＣｅｌｌを含まない）でｓＴＡＧが構成される場合等である。この場合、前述したように、従来技術では、ｓＴＡＧ内のＳＣｅｌｌのアクティベーション（ａｃｔｉｖａｔｉｏｎ）／非アクティベーション（ｄｅａｃｔｉｖａｔｉｏｎ）や、ＵＬ  ＣＣ設定有無を考慮していないため、ＵＬ干渉等の問題が発生し得ることから、本実施の形態では以下で説明する制御を実施する。なお、以下で説明する制御は、図１に示すようなＤＣでないＣＡにおいても同じように適用可能である。また、以下のＤＣにおける「基地局ｅＮＢ」は、該当ｓＴＡＧに含まれるＳＣｅｌｌを形成し、ユーザ装置ＵＥからの上り信号を受信するＭｅＮＢ又はＳｅＮＢである。
【００３７】
本実施の形態では、ユーザ装置ＵＥは、他と異なるｆｒａｍｅ  ｓｔｒｕｃｔｕｒｅ（ｄｕｐｌｅｘ  ｍｏｄｅ）のセルが同一ｓＴＡＧ内に設定されている際に（つまり、ｓＴＡＧを構成するＳＣｅｌｌの中にＦＤＤとＴＤＤが混在している場合に）、以下のような条件（条件例１〜条件例４）でＮＴＡｏｆｆｓｅｔ＝６２４Ｔｓを適用することとし、基地局ｅＮＢは、この条件でＮＴＡｏｆｆｓｅｔ＝６２４Ｔｓが適用されてＵＬ送信が行われるものとして受信動作やＴＡコマンドの生成・送信を行う。
【００３８】
＜条件例１＞
条件例１は、他と異なるｄｕｐｌｅｘ  ｍｏｄｅのセルが同一ｓＴＡＧ内に設定されている際に、各ＳＣｅｌｌのＵＬ  ＣＣの設定有無、アクティベーション／非アクティベーション状態にかかわらず、６２４Ｔｓを適用するものである。例えば、ユーザ装置ＵＥにおいて、ｓＴＡＧとしてＳＣｅｌｌ１（ＴＤＤ）、ＳＣｅｌｌ２（ＦＤＤ）、ＳＣｅｌｌ３（ＦＤＤ）が設定されている場合において、ＳＣｅｌｌ１〜３におけるＵＬ  ＣＣの設定有無、アクティベーション／非アクティベーション状態のいかんにかかわらず、ユーザ装置ＵＥは、当該ｓＴＡＧに含まれるＳＣｅｌｌでのＵＬ送信タイミング制御においてＮＴＡｏｆｆｓｅｔ＝６２４Ｔｓを適用する。
【００３９】
＜条件例２＞
条件例２は、ユーザ装置ＵＥにおいて、同一ｓＴＡＧ内にＦｒａｍｅ  ｓｔｒｕｃｔｕｒｅ２（ＴＤＤ）のＳＣｅｌｌが存在し、ＴＤＤのＳＣｅｌｌのうち、少なくとも１つのＳＣｅｌｌがアクティベート状態の場合にＮＴＡｏｆｆｓｅｔ＝６２４Ｔｓを適用する。条件例２では、当該アクティベート状態にあるＴＤＤのＳＣｅｌｌにおけるＵＬ  ＣＣの有無は条件としない。つまり、当該アクティベート状態にあるＴＤＤのＳＣｅｌｌにおいてＤＬ  ＣＣのみが設定され、ＵＬ  ＣＣの設定がない場合でも条件例２は適用される。
【００４０】
条件例２における適用例を図７を参照して説明する。図７（ａ）は、ユーザ装置ＵＥにおいて、ＳＣｅｌｌ１（ＴＤＤ）、ＳＣｅｌｌ２（ＦＤＤ）、ＳＣｅｌｌ３（ＦＤＤ）がｓＴＡＧとして設定されており、ＳＣｅｌｌ１がアクティベート状態であることを示す。この場合、６２４Ｔｓを適用する条件が満たされるので、当該ｓＴＡＧにおいてＮＴＡｏｆｆｓｅｔ＝６２４Ｔｓが適用される。
【００４１】
図７（ｂ）では、ユーザ装置ＵＥにおいて、ＳＣｅｌｌ１（ＴＤＤ）、ＳＣｅｌｌ２（ＦＤＤ）、ＳＣｅｌｌ３（ＦＤＤ）がｓＴＡＧとして設定されているが、ＳＣｅｌｌ１は非アクティベート状態である。この場合、６２４Ｔｓを適用する条件が満たされないので、当該ｓＴＡＧにおいてＮＴＡｏｆｆｓｅｔ＝０が適用される。
【００４２】
＜条件例３＞
条件例３は、ユーザ装置ＵＥにおいて、同一ｓＴＡＧ内にＦｒａｍｅ  ｓｔｒｕｃｔｕｒｅ２（ＴＤＤ）のＳＣｅｌｌが存在し、ＴＤＤのＳＣｅｌｌのうち、少なくとも１つのＳＣｅｌｌにおいてＵＬ  ＣＣ（ＵＬ通信）が設定されている場合にＮＴＡｏｆｆｓｅｔ＝６２４Ｔｓを適用する。なお、ＳＣｅｌｌに対するＵＬ  ＣＣの設定は、例えばＲＲＣシグナリングで行われる。ＳＣｅｌｌが設定される際には、ＤＬは必ず設定される。
【００４３】
条件例３では、当該ＵＬ  ＣＣが設定されたＴＤＤのＳＣｅｌｌにおけるアクティベート／非アクティベート状態は条件としない。つまり、当該ＵＬ  ＣＣが設定されたＴＤＤのＳＣｅｌｌが非アクティベート状態であっても条件例３は適用される。
【００４４】
条件例３における適用例を図８を参照して説明する。図８（ａ）は、ユーザ装置ＵＥにおいて、ＳＣｅｌｌ１（ＴＤＤ）、ＳＣｅｌｌ２（ＴＤＤ）、ＳＣｅｌｌ３（ＦＤＤ）がｓＴＡＧとして設定されており、ＳＣｅｌｌ１はＤＬ、ＵＬともに設定されている。この場合、６２４Ｔｓを適用する条件が満たされるので、当該ｓＴＡＧにおいてＮＴＡｏｆｆｓｅｔ＝６２４Ｔｓが適用される。
【００４５】
図８（ｂ）は、ユーザ装置ＵＥにおいて、ＳＣｅｌｌ１（ＴＤＤ）、ＳＣｅｌｌ２（ＴＤＤ）、ＳＣｅｌｌ３（ＦＤＤ）がｓＴＡＧとして設定されているが、ＴＤＤのＳＣｅｌｌにはＤＬ  ＣＣのみが設定され、ＵＬ  ＣＣは設定されていない。この場合、６２４Ｔｓを適用する条件が満たされないので、当該ｓＴＡＧにおいてＮＴＡｏｆｆｓｅｔ＝０が適用される。
【００４６】
＜条件例４＞
条件例４は、ユーザ装置ＵＥにおいて、同一ｓＴＡＧ内にＦｒａｍｅ  ｓｔｒｕｃｔｕｒｅ２（ＴＤＤ）のＳＣｅｌｌが存在し、ＴＤＤのＳＣｅｌｌのうち、少なくとも１つのＳＣｅｌｌにおいてＵＬ  ＣＣ（ＵＬ通信）が設定され、かつ当該ＳＣｅｌｌがアクティベート状態である場合にＮＴＡｏｆｆｓｅｔ＝６２４Ｔｓを適用する。なお、アクティベート化／非アクティベート化はＳＣｅｌｌ毎に行われるものである。例えば、ＵＬとＤＬが設定されたＳＣｅｌｌがアクティベートされると、ＵＬとＤＬの両方がアクティベートされ、通信可能になる。
【００４７】
条件例４における適用例を図９を参照して説明する。図９（ａ）は、ユーザ装置ＵＥにおいて、ＳＣｅｌｌ１（ＴＤＤ）、ＳＣｅｌｌ２（ＴＤＤ）、ＳＣｅｌｌ３（ＦＤＤ）がｓＴＡＧとして設定されており、ＴＤＤのＳＣｅｌｌ１はＤＬ、ＵＬともに設定され、かつアクティベート状態であることを示す。この場合、６２４Ｔｓを適用する条件が満たされるので、当該ｓＴＡＧにおいてＮＴＡｏｆｆｓｅｔ＝６２４Ｔｓが適用される。
【００４８】
図９（ｂ）は、ユーザ装置ＵＥにおいて、ＳＣｅｌｌ１（ＴＤＤ）、ＳＣｅｌｌ２（ＴＤＤ）、ＳＣｅｌｌ３（ＦＤＤ）がｓＴＡＧとして設定され、ＴＤＤのＳＣｅｌｌ１はＤＬ、ＵＬともに設定されているが、非アクティベート状態であることを示す。この場合、６２４Ｔｓを適用する条件が満たされないので、当該ｓＴＡＧにおいてＮＴＡｏｆｆｓｅｔ＝０が適用される。
【００４９】
本実施の形態では、上記のようなユーザ装置ＵＥ側と同じ条件を基地局ｅＮＢ（ＭｅＮＢ又はＳｅＮＢ）は把握しており、基地局ｅＮＢが管理する各ユーザ装置ＵＥのＳＣｅｌｌの設定状態等により、各ユーザ装置ＵＥのｓＴＡＧ毎にＮＴＡｏｆｆｓｅｔ＝６２４Ｔｓが適用されるか否かを把握している。これにより、基地局ｅＮＢは、ＵＬ干渉を回避し、受信したＵＬ信号を正常に復調できる。
【００５０】
上記のように基地局ｅＮＢがユーザ装置ＵＥと同じ条件を用いてＮＴＡｏｆｆｓｅｔ＝６２４Ｔｓが適用されるか否かを把握することの他、ユーザ装置ＵＥから明示的にＮＴＡｏｆｆｓｅｔ＝６２４Ｔｓを適用していることを基地局ｅＮＢへ通知してもよい。この通知は、ｓＴＡＧにＰＳＣｅｌｌが含まれる場合にも適用されてもよい。
【００５１】
例えば、図１０に示すように、ユーザ装置ＵＥは、上述した条件が満たされ、該当ｓＴＡＧにおいてＮＴＡｏｆｆｓｅｔ＝６２４Ｔｓの適用が開始されたときに（ステップ１０１）、基地局ｅＮＢに６２４Ｔｓの適用が開始されたことを通知する（ステップ１０２）。この通知には、例えば、該当ｓＴＡＧのＩＤ、６２４Ｔｓが適用されることを示す情報等が含まれる。
【００５２】
図１０の例では、ステップ１０３において、ＮＴＡｏｆｆｓｅｔ＝６２４Ｔｓが適用される条件を満たさなくなり、６２４Ｔｓの適用が停止されると、ユーザ装置ＵＥは、基地局ｅＮＢに６２４Ｔｓの適用が停止されたことを通知する（ステップ１０４）。この通知には、例えば、該当ｓＴＡＧのＩＤ、６２４Ｔｓの適用が停止されることを示す情報等が含まれる。
【００５３】
なお、上記の通知のトリガーは、上記のように６２４Ｔｓの適用開始／適用停止であってもよいし、６２４Ｔｓの適用の条件が満たされたこと／条件を満たさなくなったことでもよい。
【００５４】
また、通知に用いる信号は、ＲＲＣ信号、ＭＡＣ信号、ＰＨＹの信号のいずれでもよい。通知に際しては、条件が満足される、されないが動的に変化した際に、頻繁に報告してしまうことを抑止するために、ＴＴＴ（Ｔｉｍｅ  Ｔｏ  Ｔｒｉｇｇｅｒ）や保護段数が加味されてもよい。
【００５５】
＜その他の例＞
上記の例では、ユーザ装置ＵＥと基地局ｅＮＢにおいて、所定の条件に基づいてＮＴＡｏｆｆｓｅｔ＝６２４Ｔｓの適用／非適用を決定する、もしくは、ユーザ装置ＵＥが所定の条件に基づいてＮＴＡｏｆｆｓｅｔ＝６２４Ｔｓの適用／非適用を決定し、６２４Ｔｓの適用／非適用を基地局ｅＮＢに通知することとしたが、６２４Ｔｓの適用／非適用が変化する際には、ＵＬ送信を停止することとしてもよい。
【００５６】
例えば、基地局ｅＮＢは、ｓＴＡＧにおいて常にＮＴＡｏｆｆｓｅｔ＝６２４Ｔｓの適用がないものとしてＵＬ信号受信制御を行い、ユーザ装置ＵＥは、前述した６２４Ｔｓの適用の条件が満たされる場合に、該当するｓＴＡＧ内の全てのＵＬ送信を停止する。
【００５７】
また、例えば、基地局ｅＮＢは、ｓＴＡＧにおいて常にＮＴＡｏｆｆｓｅｔ＝６２４Ｔｓの適用があるものとしてＵＬ信号受信制御を行い、ユーザ装置ＵＥは、前述した６２４Ｔｓの適用の条件が満たされない場合に、該当するｓＴＡＧ内の全てのＵＬ送信を停止することとしてもよい。
【００５８】
ＵＬ送信の停止に関し、ユーザ装置ＵＥは、単にＵＬ送信を停止してもよいし、当該ｓＴＡＧに対して管理されているＴＡ  ｔｉｍｅｒを停止（或いは、満了したと見な）してもよいし、ＳＣｅｌｌの個別リソース（ＳＲＳリソース）を解放してもよいし、当該ｓＴＡＧ内の全ＳＣｅｌｌを非アクティベート化してもよい。
【００５９】
また、上記のようにＵＬ送信停止制御を行うか否かを、基地局ｅＮＢからＲＲＣシグナリング、ＭＡＣ信号等でユーザ装置ＵＥに通知してもよい。あるいは、基地局ｅＮＢが、前述した６２４Ｔｓの適用の条件判定機能を持つことをユーザ装置ＵＥに通知した場合に、６２４Ｔｓの適用条件に応じた６２４Ｔｓの適用制御を行い、基地局ｅＮＢが、６２４Ｔｓの適用の条件判定機能を持つことをユーザ装置ＵＥに通知しない場合に、本ＵＬ送信停止制御を行うようにしてもよい。
【００６０】
（変形例１）
本実施の形態では、基本的にＤＣを前提とするが、ＰＳＣｅｌｌのｄｕｐｌｅｘ  ｍｏｄｅに基づく制御方法は、ＤＣに限らずに適用することができる。例えば、ＤＣで規定されたＰＳＣｅｌｌの機能（例：ＰＵＣＣＨ送信機能）を、ＤＣではないＣＡ（例：図１）に対しても流用することが検討されており、ＣＡにおいてＰＳＣｅｌｌの機能が流用されている場合には、ＤＣと同様のＮＴＡｏｆｆｓｅｔ制御を行うことが可能である。
【００６１】
図１１に、変形例１における通信システムの構成図を示す。この通信システムは、ＤＣではないＣＡを行う通信システムである。図１１に示すように、変形例１における通信システムは、基地局ｅＮＢとユーザ装置ＵＥとを含む移動通信システムである。図１１では、基地局ｅＮＢとユーザ装置ＵＥはそれぞれ１つずつ示されているが、これは図示の便宜上のものであり、それぞれ複数存在してもよい。
【００６２】
また、図１１の例では、基地局ｅＮＢ自身が無線部を有するとともに、基地局ｅＮＢから離れた場所にも無線部（ＲＲＥ：遠隔無線装置）が設置される。当該無線部は基地局ｅＮＢの一部であり、基地局ｅＮＢと例えば光ファイバで接続される。本変形例１では、図１に示した形態と同様にして、ＰＣｅｌｌとＳＣｅｌｌによりＣＡが可能となっている。
【００６３】
当該通信システムにおいて、例えば、基地局ｅＮＢは、マクロセルに接続中のユーザ装置ＵＥから受信するスモールセル用のＣＣの測定結果に基づいて、ユーザ装置ＵＥに対してスモールセルを構成する１つ又は複数のＳＣｅｌｌを追加するＲＲＣメッセージを送信する。また、基地局ｅＮＢはユーザ装置ＵＥに対してＳＣｅｌｌをアクティベートさせる信号を送信する。これにより、ユーザ装置ＵＥは、スモールセルとマクロセルとのＣＡを行う。
【００６４】
また、ユーザ装置ＵＥは、例えば、基地局ｅＮＢから受信するＲＲＣメッセージでＭＴＡの設定（つまり、ｓＴＡＧ及びｐＴＡＧの設定）を受けるとともに、ＭＡＣ信号によりＴＡＧに対するＴＡを把握し、当該ＴＡ及びＮＴＡｏｆｆｓｅｔを用いて、ＴＡＧ毎のＵＬ送信タイミングの調整を行う。
【００６５】
図１１に示したシステム構成において、ＲＲＥと通信するスモールセルのＳＣｅｌｌにおける１つのＳＣｅｌｌに、ＰＵＣＣＨ（物理上り制御チャネル）リソースを割り当てることで、当該ＳＣｅｌｌを他のＳＣｅｌｌと区別された特別なＳＣｅｌｌとして管理し、当該ＳＣｅｌｌを含むｓＴＡＧについては、上記ＰＳＣｅｌｌと同様にｄｕｐｕｌｅｘ  ｍｏｄｅに基づいてＮＴＡｏｆｆｓｅｔの値を決定する。以下、便宜上、ＤＣでないＣＡにおけるこのようなＳＣｅｌｌを特別ＳＣｅｌｌと呼ぶことにする。特別ＳＣｅｌｌが含まれないｓＴＡＧについては、これまでに説明したとおりの制御（前述した条件例１〜４等）を適用する。
【００６６】
また、変形例１においても、図１０を参照して説明したように、ＮＴＡｏｆｆｓｅｔ＝６２４Ｔｓの適用／非適用を基地局ｅＮＢに通知することとしてよい。
【００６７】
特別ＳＣｅｌｌを適用する変形例１の適用例を図１２を参照して説明する。図１２（ａ）は、ユーザ装置ＵＥにおいて、ＳＣｅｌｌ１（ＦＤＤ、ＰＵＣＣＨあり）、ＳＣｅｌｌ２（ＴＤＤ）、ＳＣｅｌｌ３（ＦＤＤ）がｓＴＡＧとして設定されている。この場合、ＳＣｅｌｌ１が特別ＳＣｅｌｌであるから、当該ｓＴＡＧにおいては、特別ＳＣｅｌｌのＤｕｐｌｅｘ  ｍｏｄｅであるＦＤＤのＮＴＡｏｆｆｓｅｔを適用する。つまり、ＮＴＡｏｆｆｓｅｔ＝０が適用される。
【００６８】
図１２（ｂ）は、ユーザ装置ＵＥにおいて、ＳＣｅｌｌ１（ＦＤＤ）、ＳＣｅｌｌ２（ＴＤＤ）、ＳＣｅｌｌ３（ＦＤＤ）がｓＴＡＧとして設定されている。特別ＳＣｅｌｌは設定されていない。ただし、ＳＣｅｌｌ２はＴＤＤであり、ＵＬが設定され、なおかつアクティベート状態である。よって、前述した条件が満たされ、ＮＴＡｏｆｆｓｅｔ＝６２４Ｔｓが適用される。
【００６９】
（変形例２）
移動体通信では、ユーザ装置ＵＥと基地局ｅＮＢが通信（セルラー通信）を行うことによりユーザ装置ＵＥ間で通信を行うことが一般的であるが、近年、ＬＴＥの無線インタフェースを用いてユーザ装置ＵＥ間で直接に通信を行うＤ２Ｄ通信についての種々の技術が検討されている。Ｄ２Ｄ通信技術では、ユーザ装置ＵＥはＬＴＥ通信で用いられる無線リソース（時間・周波数リソース）を用いユーザ装置ＵＥ間で直接通信を行う。Ｄ２Ｄ通信としては、例えば、一方のユーザ装置ＵＥが、自身の識別情報を含むＤｉｓｃｏｖｅｒｙ信号（発見信号）を送出（ブロードキャスト）し、当該Ｄｉｓｃｏｖｅｒｙ信号を他方のユーザ装置ＵＥが受信することで、通信相手のユーザ装置ＵＥを発見する通信や、発見した後にユーザ装置ＵＥ間で行う通信（Ｃｏｍｍｕｎｉｃａｔｉｏｎ）等がある。
【００７０】
Ｄ２Ｄ通信においては、現状１つのキャリア（ＣＣ）での通信を行うことを想定しているが、将来的にこれを拡張して、複数キャリアを使用したＤ２Ｄ通信が考えられる。例えば、図１３（ａ）に示すように、Ｄ２Ｄ通信と基地局ｅＮＢ−ユーザ装置ＵＥ間の通信を同時に行うような通信が考えられる。また、図１３（ｂ）に示すように、Ｄ２Ｄ通信に複数のキャリアを用いる通信が考えられる。
【００７１】
図１３（ａ）に示す通信システムにおいて、例えば、基地局ｅＮＢを図５に示す基地局ＭｅＮＢ（又は図１１のｅＮＢ）と見なし、ユーザ装置ＵＥ２を図５に示す基地局ＳｅＮＢ（又は図１１のＲＲＥ）と見なし、ユーザ装置ＵＥ１との間で、図５（又は図１１）の通信システムにおけるＣＡ通信と同様の通信を行うものとすると、ユーザ装置ＵＥ１は、これまでの実施の形態（変形例１を含む）で説明した制御と同様に、ＮＴＡｏｆｆｓｅｔ＝６２４Ｔｓの適用／非適用を決定し、相手の通信装置への信号送信にＴＡ制御を適用できる。
【００７２】
また、図１３（ｂ）に示すシステムにおいては、例えば、ユーザ装置ＵＥ２を、ＣＡを行う基地局ｅＮＢと見なし、ユーザ装置ＵＥ１との間で、複数のＳＣｅｌｌ（ｓＴＡＧを構成し得る）を含むセルでＣＡ通信を行うものとすると、ユーザ装置ＵＥ１は、これまでの実施の形態（変形例１を含む）で説明した制御と同様に、ＮＴＡｏｆｆｓｅｔ＝６２４Ｔｓの適用／非適用を決定し、ＴＡ制御を行うことができる。なお、セルラー通信ではＴＤＤのＮＴＡｏｆｆｓｅｔに６２４Ｔｓが用いられるが、Ｄ２Ｄ通信では、必ずしも６２４Ｔｓではなく、別に定義したオフセット値が用いられてもよい。
【００７３】
（装置構成、動作例）
図１４に、本発明の実施の形態（変形例１、２を含む）におけるユーザ装置ＵＥの機能構成図を示す。図１４に示すように、ユーザ装置ＵＥは、ＤＬ信号受信部１０１、ＵＬ信号送信部１０２、ＣＡ制御部１０３、ＳＣｅｌｌ状態格納部１０４、ＵＬ送信タイミング調整部１０５を備える。なお、図１４は、ユーザ装置ＵＥにおいて本発明に特に関連する機能部のみを示すものであり、ユーザ装置ＵＥは、少なくともＬＴＥに準拠した動作を行うための図示しない機能も有するものである。また、図１４に示す構成は一例に過ぎず、本実施の形態で説明する処理を実行できる機能を有するのであれば、機能区分や機能部の名称はどのようなものでもよい。以下の「基地局ｅＮＢ」は、ＤＣを構成しないｅＮＢ、及びＤＣを構成するＭｅＮＢ、ＳｅＮＢを含む広い意味で使用している。
【００７４】
ＤＬ信号受信部１０１は、基地局ｅＮＢから各種の下り信号を受信する。ＵＬ信号送信部１０２は、基地局ｅＮＢに対して各種の上り信号を送信する。また、ＤＬ信号受信部１０１及びＵＬ信号送信部１０２は、複数のＣＣを利用したＣＡ（ＤＣを含む）により通信を行う機能も備えている。
【００７５】
ＣＡ制御部１０３は、ＣＡ（ＤＣを含む）を構成するＰＣｅｌｌ、ＳＣｅｌｌ（ＰＳＣｅｌｌ、特別ＳＣｅｌｌを含む）の管理（ＳＣｅｌｌ状態をＳＣｅｌｌ状態格納部１０４に格納することを含む）や、基地局ｅＮＢからの指示に基づくＳＣｅｌｌの追加／削除、ＳＣｅｌｌのＵＬ／ＤＬ構成の設定・変更、アクティベート化／非アクティベート化等のユーザ装置ＵＥにおけるＣＡに関する制御を行う。
【００７６】
ＳＣｅｌｌ状態格納部１０４には、ＳＣｅｌｌ状態が格納される。特に、ＳＣｅｌｌ状態格納部１０４には、少なくとも、ｓＴＡＧに属するＳＣｅｌｌの情報（ＩＤ等）、ＳＣｅｌｌの構成（ＵＬ／ＤＬ設定有無、ＰＳＣｅｌｌ／特別ＳＣｅｌｌか否か等）、ＳＣｅｌｌのアクティベート／非アクティベート状態等、ＴＡ制御におけるＮＴＡｏｆｆｓｅｔを決定するための必要な情報が格納される。
【００７７】
ＵＬ送信タイミング調整部１０５は、基地局ｅＮＢから受信するＴＡ値、及び、ＳＣｅｌｌ状態格納部１０４に格納されている状態により判定されるＮＴＡｏｆｆｓｅｔ値に基づいて、ＴＡ制御、すなわち、ＵＬ送信タイミング調整を行う。なお、あるＴＡＧにおいて、各セルのＵＬ信号送信タイミングの基準とするＤＬ信号受信タイミングは、例えば、当該ＴＡＧにおけるｔｉｍｉｎｇ  ｒｅｆｅｒｅｎｃｅ  ｃｅｌｌのＤＬ信号受信タイミングを使用することができる。また、ＵＬ送信タイミング調整部１０５は、前述したＵＬ送信停止制御を行う機能も含む。
【００７８】
次に、図１５〜図１７を参照してユーザ装置ＵＥの動作例を説明する。以下の動作例では、ユーザ装置ＵＥは基地局ｅＮＢ（ＭｅＮＢ又はＳｅＮＢ）と通信することを想定しているが、変形例２で説明したように、他のユーザ装置と通信を行う場合も同様の制御が可能である。
【００７９】
図１５において、まず、基地局ＭｅＮＢからのＲＲＣシグナリングに基づき、ＣＡ制御部１０３によりＤＣにおけるＳＣｅｌｌ（ＰＳＣｅｌｌを含む）の設定が行われるととともに、ＭＴＡ（ｓＴＡＧ、ｐＴＡＧ等）が設定され、設定されたＳＣｅｌｌに関する情報がＳＣｅｌｌ状態格納部１０４に格納される（ステップ２０１）。
【００８０】
ＵＬ送信タイミング調整部１０５は、ＳＣｅｌｌ状態格納部１０４を参照し、ｓＴＡＧ内にＰＳＣｅｌｌがあるかどうかを判定し（ステップ２０２）、ある場合にステップ２０３に進み、ない場合にステップ２０４に進む。ステップ２０３では、ＵＬ送信タイミング調整部１０５は、当該ｓＴＡＧにおいて、ＰＳＣｅｌｌのｄｕｐｌｅｘ  ｍｏｄｅに従ったＮＴＡｏｆｆｓｅｔを適用してＵＬ送信タイミング調整を行う。ステップ２０４では、図１６のステップ３０１もしくは図１７のステップ４０１に進み、前述した条件例に基づく判定処理によりＮＴＡｏｆｆｓｅｔ＝６２４Ｔｓを適用するかどうかを決定する。図１６は条件例２に対応し、図１７は条件例３に対応する。なお、ＮＴＡｏｆｆｓｅｔ＝６２４Ｔｓが適用されない場合はＮＴＡｏｆｆｓｅｔ＝０が適用される。
【００８１】
図１６のステップ３０１において、ＵＬ送信タイミング調整部１０５は、ＳＣｅｌｌ状態格納部１０４を参照し、該当ｓＴＡＧ内にＴＤＤのＳＣｅｌｌがあるかどうかを判定し、ある場合にステップ３０２に進む。ステップ３０２では、ＵＬ送信タイミング調整部１０５は、ＳＣｅｌｌ状態格納部１０４を参照し、当該ｓＴＡＧにおけるＴＤＤのＳＣｅｌｌの中にアクティベート状態のＳＣｅｌｌがあるかどうかを判定し、ある場合にステップ３０３に進む。ステップ３０３では、ＵＬ送信タイミング調整部１０５は、当該ｓＴＡＧにおいてＮＴＡｏｆｆｓｅｔ＝６２４Ｔｓを適用してＵＬ送信タイミング調整を行う。
【００８２】
図１７のステップ４０１において、ＵＬ送信タイミング調整部１０５は、ＳＣｅｌｌ状態格納部１０４を参照し、ｓＴＡＧ内にＴＤＤのＳＣｅｌｌがあるかどうかを判定し、ある場合にステップ４０２に進む。ステップ４０２では、ＵＬ送信タイミング調整部１０５は、ＳＣｅｌｌ状態格納部１０４を参照し、当該ｓＴＡＧにおけるＴＤＤのＳＣｅｌｌの中にＵＬ  ＣＣが設定されたＳＣｅｌｌがあるかどうかを判定し、ある場合にステップ４０３に進む。ステップ４０３では、ＵＬ送信タイミング調整部１０５は、当該ｓＴＡＧにおいてＮＴＡｏｆｆｓｅｔ＝６２４Ｔｓを適用してＵＬ送信タイミング調整を行う。
【００８３】
なお、ＮＴＡｏｆｆｓｅｔ＝６２４Ｔｓを適用する条件例４の動作は、上記ステップ４０２の条件を「ＴＤＤのＳＣｅｌｌの中に、ＵＬ  ＣＣが設定され、かつアクティベート状態であるＳＣｅｌｌがあるかどうか」とすれば実施することができる。
【００８４】
以上、説明したように、本発明の実施の形態では、特定のフレーム構造を有するキャリアと当該特定のフレーム構造と異なるフレーム構造を有するキャリアを用いたキャリアアグリゲーションにより他の通信装置と通信を行う機能を備えるユーザ装置であって、前記通信装置に上り信号を送信する信号送信部と、前記通信装置から下り信号を受信する信号受信部と、前記信号送信部から送信される前記通信装置への上り信号の送信タイミングを、前記信号受信部により受信する前記通信装置からの下り信号の受信タイミングを基準として前にずらすタイミング制御を行うタイミング調整部と、を備え、前記タイミング調整部は、前記キャリアアグリゲーションに使用されるセルのうち、同一の上り送信タイミングを用いるセカンダリセルからなるセルグループ内に、物理上り制御チャネルが設定されるセカンダリセルがある場合に、当該セカンダリセルのフレーム構造に応じたオフセット値を使用して前記セルグループについての前記タイミング制御を行うユーザ装置が提供される。
【００８５】
上記の構成により、特定のフレーム構造を有するキャリアと当該特定のフレーム構造と異なるフレーム構造を有するキャリアを用いたキャリアアグリゲーションにより他の通信装置と通信を行う機能を備えるユーザ装置の上り信号の送信タイミング制御において、オフセット値を適切に適用することが可能となる。
【００８６】
前記物理上り制御チャネルが設定されるセカンダリセルは、例えば、デュアルコネクティビティにおけるＰＳＣｅｌｌである。この構成により、前記セルグループにおいては、ＰＳＣｅｌｌのフレーム構造に基づきオフセット値を決定できるので、処理を簡易化できる。
【００８７】
前記タイミング調整部は、例えば、前記セルグループ内に、物理上り制御チャネルが設定されるセカンダリセルがない場合に、前記セルグループにおいて、前記特定のフレーム構造を有するキャリアを使用するセカンダリセルが所定の条件を満たすか否かを判定し、当該所定の条件を満たす場合に、前記セルグループについての前記タイミング制御に所定のオフセット値を使用する。この構成により、セルグループ内に、物理上り制御チャネルが設定されるセカンダリセルがない場合において、オフセット値を適切に適用することが可能となる。
【００８８】
前記所定の条件は、例えば、前記特定のフレーム構造を有するキャリアを使用するセカンダリセルが、アクティベート状態にあることである。この構成では、アクティベート状態にある場合に所定のオフセット値が適用されるので、無駄なオフセット値の適用を抑止できる。
【００８９】
前記所定の条件は、前記特定のフレーム構造を有するキャリアを使用するセカンダリセルにおいて、上り通信が設定されていることであるとしてもよい。この構成では、上り通信が設定されている場合に所定のオフセット値が適用されるので、無駄なオフセット値の適用を抑止できる。
【００９０】
前記タイミング制御に前記所定のオフセット値が使用される場合に、前記信号送信部は、当該所定のオフセット値が使用されることを前記通信装置に通知することとしてもよい。この構成により、通信装置（例：基地局）は、所定のオフセット値が使用されることを把握でき、適切なＵＬ信号受信制御を行うことができる。
【００９１】
前記タイミング制御に前記所定のオフセット値が使用されなくなった場合に、前記信号送信部は、当該所定のオフセット値が使用されなくなったことを前記通信装置に通知することとしてもよい。この構成により、通信装置（例：基地局）は、所定のオフセット値が使用されなくなったことを把握でき、適切なＵＬ信号受信制御を行うことができる。
【００９２】
前記タイミング調整部は、前記特定のフレーム構造を有するキャリアを使用するセカンダリセルが前記所定の条件を満たす場合に、前記セルグループにおける前記信号送信部からの上り信号送信を停止する機能、又は、前記特定のフレーム構造を有するキャリアを使用するセカンダリセルが前記所定の条件を満たさない場合に、前記セルグループにおける前記信号送信部からの上り信号送信を停止する機能を有することとしてもよい。これらの機能を備えることにより、相手の通信装置（例：基地局）は、当該セルグループにおける所定のオフセット値の適用／非適用を判定する機能を持たなくても、適切にＵＬ信号受信処理を行うことができる。
【００９３】
前記通信装置は、例えば、デュアルコネクティビティに対応した基地局、又は、前記ユーザ装置との間でＤ２Ｄ通信を行う他のユーザ装置である。これにより、ＤＣのみならず、Ｄ２Ｄ通信においても、適切にオフセット値を適用できるという効果を奏する。
【００９４】
本実施の形態で説明したユーザ装置ＵＥの機能構成は、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９５】
本実施の形態で説明した基地局ｅＮＢ（ｅＮＢ、ＭｅＮＢ、ＳｅＮＢ）についても、ＣＰＵとメモリを備える基地局ｅＮＢにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９６】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９７】
本発明は上記実施形態に限定されず、本発明の精神から逸脱することなく、様々な変形例、修正例、代替例、置換例等が本発明に包含される。
【符号の説明】
【００９８】
ｅＮＢ、ＭｅＮＢ、ＳｅＮＢ  基地局
ＵＥ  ユーザ装置
１０１  ＤＬ信号受信部
１０２  ＵＬ信号送信部
１０３  ＣＡ制御部
１０４  ＳＣｅｌｌ状態格納部
１０５  ＵＬ送信タイミング調整部
【図１】
0005970506.tif 000002
【図２】
0005970506.tif 000003
【図３】
0005970506.tif 000004
【図４】
0005970506.tif 000005
【図５】
0005970506.tif 000006
【図６】
0005970506.tif 000007
【図７】
0005970506.tif 000008
【図８】
0005970506.tif 000009
【図９】
0005970506.tif 000010
【図１０】
0005970506.tif 000011
【図１１】
0005970506.tif 000012
【図１２】
0005970506.tif 000013
【図１３】
0005970506.tif 000014
【図１４】
0005970506.tif 000015
【図１５】
0005970506.tif 000016
【図１６】
0005970506.tif 000017
【図１７】
0005970506.tif 000018